(57)【要約】【課題】簡単且つ低コストな回路構成で、複数態様のＬＥＤ（発光ダイオード）の発光を行うことができるＬＥＤ点灯回路を提供する。【解決手段】ＬＥＤ１１〜１４を四辺にそれぞれ配置してダイオードブリッジ回路を構成し、対向する一対の接続点２１、２２に直流電源の入力端子Ａ１、Ａ２をそれぞれ接続し、他の対向する一対の接続点２３、２４を短絡するように接続し、入力端子Ａ１をプラス、入力端子Ａ２をマイナスとして直流電源を印加した場合の第１の電流経路ＩＲ１に第１の抵抗１５を接続し、入力端子Ａ２をプラス、入力端子Ａ１をマイナスとして直流電源を印加した場合の第２の電流経路ＩＲ２に第１の抵抗１５と抵抗値が異なる第２の抵抗１６を接続するＬＥＤ点灯回路。【選択図】図２
2008010458.tif 000002
【特許請求の範囲】
【請求項１】
ＬＥＤを四辺にそれぞれ配置してダイオードブリッジ回路を構成し、該ダイオードブリッジ回路の対向する一対の接続点に直流電源の第１と第２の入力端子をそれぞれ接続し、該ダイオードブリッジ回路の他の対向する一対の接続点を短絡するように接続し、第１の入力端子をプラス、第２の入力端子をマイナスとして直流電源を印加した場合に於ける該ダイオードブリッジ回路の第１の電流経路に第１の抵抗を接続し、第２の入力端子をプラス、第１の入力端子をマイナスとして直流電源を印加した場合の該ダイオードブリッジ回路の第２の電流経路に該第１の抵抗と抵抗値が異なる第２の抵抗を接続することを特徴とするＬＥＤ点灯回路。
【請求項２】
前記第１の電流経路に接続したＬＥＤの発光色若しくは発光色の組み合わせと、前記第２の電流経路に接続したＬＥＤの発光色若しくは発光色の組み合わせとが異なるようにしてＬＥＤを配置することを特徴とする請求項１記載のＬＥＤ点灯回路。
【請求項３】
請求項１又は２記載のＬＥＤ点灯回路を備えることを特徴とする車両用室内灯。
【発明の詳細な説明】
【技術分野】
【０００１】
本発明は、複数態様のＬＥＤ（発光ダイオード）の発光を行うことができるＬＥＤ点灯回路、及びＬＥＤ点灯回路を備える車両用室内灯に関する。
【背景技術】
【０００２】
複数態様のＬＥＤの発光を行うことができるＬＥＤ点灯回路として、図４に示すように、第１の色を発光する２個のＬＥＤ１、２を対向配置し且つ第１の色と異なる第２の色を発光する２個のＬＥＤ３、４を対向配置してブリッジ回路を形成し、その接続点８、９間に電流調整用の抵抗５を接続し、その電源入力端子Ａ１、Ａ２から接続点６、７を介して与える電流の方向を変え、第１の色のＬＥＤ１、２の点灯と第２の色のＬＥＤ３、４の点灯を選択するように制御するものがある。図４の点灯回路は、電源入力端子Ａ１をプラス側にして電流を流した場合、電源入力端子Ａ１→接続点６→ＬＥＤ１→接続点８→抵抗５→接続点９→ＬＥＤ２→接続点７→電源入力端子Ａ２の順に電流が流れて第１の色のＬＥＤ１、２が発光し、また、電源入力端子Ａ２をプラス側にして電流を流した場合、電源入力端子Ａ２→接続点７→ＬＥＤ４→接続点８→抵抗５→接続点９→ＬＥＤ３→接続点６→電源入力端子Ａ１の順に電流が流れて第２の色のＬＥＤ３、４が発光するようになっている（特許文献１参照）。
【０００３】
【特許文献１】特開平６−１８８４５７号公報
【発明の開示】
【発明が解決しようとする課題】
【０００４】
ところで、ＬＥＤの電圧降下は色毎に異なり、図４のＬＥＤ点灯回路に於ける第１の色の２個のＬＥＤ１、２による電圧降下と、第２の色の２個のＬＥＤ３、４による電圧降下は通常は異なることから、上記ＬＥＤ点灯回路で電源入力端子Ａ１、Ａ２に極性を反転して同一電圧を印加する場合、上記電流調整用の抵抗５を可変抵抗にして抵抗値を調整することが必要となる。しかしながら、斯様な可変抵抗を用いると、回路構成が複雑化し、製造コストが上昇してしまう。
【０００５】
本発明は上記課題に鑑み提案するものであって、簡単且つ低コストな回路構成で、複数態様のＬＥＤ（発光ダイオード）の発光を行うことができるＬＥＤ点灯回路、及びＬＥＤ点灯回路を備える車両用室内灯を提供することを目的とする。
【課題を解決するための手段】
【０００６】
本発明のＬＥＤ点灯回路は、ＬＥＤを四辺にそれぞれ配置してダイオードブリッジ回路を構成し、ダイオードブリッジ回路の対向する一対の接続点に直流電源の第１と第２の入力端子をそれぞれ接続し、ダイオードブリッジ回路の他の対向する一対の接続点を短絡するように接続し、第１の入力端子をプラス、第２の入力端子をマイナスとして直流電源を印加した場合に於けるダイオードブリッジ回路の第１の電流経路に第１の抵抗を接続し、第２の入力端子をプラス、第１の入力端子をマイナスとして直流電源を印加した場合のダイオードブリッジ回路の第２の電流経路に第１の抵抗と抵抗値が異なる第２の抵抗を接続することを特徴とする。
【０００７】
また、本発明のＬＥＤ点灯回路は、第１の電流経路に接続したＬＥＤの発光色若しくは発光色の組み合わせと、第２の電流経路に接続したＬＥＤの発光色若しくは発光色の組み合わせとが異なるようにしてＬＥＤを配置することを特徴とし、発光色や発光色の組み合わせが異なる２つの発光態様でＬＥＤが発光するようにする。前記構成以外に、例えば第１の電流経路と第２の電流経路に同一色のＬＥＤを配置して接続し、第１の抵抗と第２の抵抗の抵抗値を異ならせて発光輝度が相違するようにし、発光輝度が異なる２つの発光態様でＬＥＤが発光するようにしてもよく、更に、発光色、発光色の組み合わせや、発光輝度を適宜調整した複数の発光態様で発光するようにしてもよい。
また、本発明の車両用室内灯は、本発明のＬＥＤ点灯回路を備えることを特徴とし、例えばＬＥＤを四辺にそれぞれ配置してダイオードブリッジ回路を構成し、ダイオードブリッジ回路の対向する一対の接続点に直流電源の第１と第２の入力端子をそれぞれ接続し、ダイオードブリッジ回路の他の対向する一対の接続点を接続し、第１の入力端子をプラス、第２の入力端子をマイナスとして直流電源を印加した場合に於けるダイオードブリッジ回路の第１の電流経路に第１の抵抗を接続し、第２の入力端子をプラス、第１の入力端子をマイナスとして直流電源を印加した場合のダイオードブリッジ回路の第２の電流経路に第１の抵抗と抵抗値が異なる第２の抵抗を接続するＬＥＤ点灯回路を備えるものとする。
【０００８】
尚、本発明のＬＥＤ点灯回路は、上記車両用室内灯以外の室内灯など適宜の照明灯に用いることが可能である。また、本願の発明には、各発明や各実施形態等の構成の他に、これらの部分的な構成を他の構成に変更して特定したもの、或いはこれらの構成に他の構成を付加して特定したもの、或いはこれらの部分的な構成を部分的な作用効果が得られる限度で削除して特定した上位概念化したものも含まれる。
【発明の効果】
【０００９】
本発明のＬＥＤ点灯回路は、ＬＥＤを配置したダイオードブリッジ回路の第１の電流経路と第２の電流経路に抵抗値の異なる第１の抵抗と第２の抵抗を設けることにより、電流調整用の複雑な可変抵抗を用いずとも複数態様のＬＥＤの発光を行うことが可能であり、簡単且つ低コストな回路構成で、複数態様のＬＥＤの発光を行うことができる。従って、利用者は、必要に応じて異なる発光態様を使用したり、異なる発光態様を楽しむことができる。
【００１０】
そして、照明光の色、明暗、混色、照射方向など、用途に応じた自由度が非常に高い照明灯を得ることができる。例えば第１の電流経路に接続したＬＥＤの発光色若しくは発光色の組み合わせと、第２の電流経路に接続したＬＥＤの発光色若しくは発光色の組み合わせとを異ならせることにより、色や色の組み合わせが異なる２つの発光態様を実現することや、或いは、ダイオードブリッジ回路の四辺のＬＥＤを同一色にして第１、第２の抵抗の抵抗値を異ならせることにより、発光輝度が異なる２つの発光態様を実現することができる。更に、ＬＥＤ照明灯を取り付けた状態に於ける、第１の電流経路で発光するＬＥＤの照射方向と、第２の電流経路で発光するＬＥＤの照射方向を異ならせ、所要の領域を選択的に照明するようにすることができる。
【００１１】
また、所望抵抗値の抵抗を第１、第２の抵抗に用い、異なるメーカーの順電圧の違うＬＥＤを適宜使用することができるので、高い設計の自由度を有する。また、ＬＥＤの順電圧にバラツキがある場合にも所要抵抗値の抵抗を用いて簡単に対応することができ、ＬＥＤ点灯回路やその回路を有するＬＥＤ照明灯の歩留まりを向上することができる。また、第１と第２の入力端子に印可する電圧の極性を反転してもＬＥＤが点灯するので、極性を違えて取り付けてもＬＥＤが点灯する照明灯を得ることができる。
【００１２】
また、本発明の車両用室内灯を用いることにより、利用者は、色、色の組み合わせ、発光輝度等が異なる複数の発光態様を楽しむことででき、又、用途に合わせて使用することができる。
【発明を実施するための最良の形態】
【００１３】
本発明のＬＥＤ点灯回路の実施形態について図に基づき説明する。
【００１４】
第１実施形態のＬＥＤ点灯回路は、図１に示すように、ＬＥＤ１１、１２、１３、１４を四辺に各々配置したダイオードブリッジ回路を有し、前記ダイオードブリッジ回路の入力側の対向する一対の接続点２１、２２はそれぞれ直流電源の入力端子Ａ１、Ａ２に接続され、出力側の他の対向する一対の接続点２３、２４は相互に接続され短絡している。ＬＥＤ１１は接続点２１から接続点２３へ向かう方向を、ＬＥＤ１２は接続点２４から接続点２２へ向かう方向を、ＬＥＤ１３は接続点２４から接続点２１へ向かう方向を、ＬＥＤ１４は接続点２２から接続点２３へ向かう方向を、それぞれ順方向にして接続されている。前記ダイオードブリッジ回路の対向する二辺に配置したＬＥＤ１１、１２は色が同一のＬＥＤ、他の対向する二辺に配置したＬＥＤ１３、１４は色が同一のＬＥＤとし、且つＬＥＤ１１、１２の色とＬＥＤ１３、１４の色が異なるようにしており、例えばＬＥＤ１１、１２を白色ＬＥＤ、ＬＥＤ１３、１４を赤色ＬＥＤとする。
【００１５】
更に、接続点２４と接続点２２とを結ぶ線には、接続点２４とＬＥＤ１２のアノード側との間に抵抗１５が接続されていると共に、接続点２４と接続点２１とを結ぶ線には、接続点２４とＬＥＤ１３のアノード側との間に抵抗１６が接続されている。第１の抵抗１５の抵抗値と第２の抵抗１６の抵抗値は異なっており、ＬＥＤ１１、１２による電圧降下（Ｖｆ）がＬＥＤ１３、１４による電圧降下（Ｖｆ）よりも大きい場合には第１の抵抗１５の抵抗値を第２の抵抗１６よりも小さくし、ＬＥＤ１１、１２による電圧降下（Ｖｆ）がＬＥＤ１３、１４による電圧降下（Ｖｆ）よりも小さい場合には第１の抵抗１５の抵抗値を第２の抵抗１６よりも大きくする。例として、ＬＥＤ１１、１２を電圧降下３．４Ｖの白色ＬＥＤ、ＬＥＤ１３、１４を電圧降下２．０Ｖの赤色ＬＥＤとし、直流電源の電圧が１２Ｖで、各ＬＥＤ１１〜１４に２０ｍＡの電流を流す場合、第１の抵抗１５の抵抗値を２６０Ω、第２の抵抗１６の抵抗値を４００Ωに設定する。
【００１６】
上記ＬＥＤ点灯回路に、入力端子Ａ１をプラス、入力端子Ａ２をマイナスとして直流電源を印可した場合、図２（ａ）に示すように、経路上にＬＥＤ１１、第１の抵抗１５、ＬＥＤ１２を有する図示２点鎖線の第１の電流経路ＩＲ１に電流が流れ、入力端子Ａ１→接続点２１→ＬＥＤ１１→接続点２３→接続点２４→抵抗１５→ＬＥＤ１２→接続点２２→入力端子Ａ２の順に電流が流れて第１の色のＬＥＤ１１、１２が発光する。他方に於いて、上記ＬＥＤ点灯回路に、入力端子Ａ２をプラス、入力端子Ａ１をマイナスとして直流電源を印可した場合、図２（ｂ）に示すように、経路上にＬＥＤ１４、第２の抵抗１６、ＬＥＤ１３を有する図示２点鎖線の第１の電流経路ＩＲ２に電流が流れ、入力端子Ａ２→接続点２２→ＬＥＤ１４→接続点２３→接続点２４→抵抗１６→ＬＥＤ１３→接続点２１→入力端子Ａ１の順に電流が流れて第２の色のＬＥＤ１３、１４が発光する。
【００１７】
第１実施形態のＬＥＤ点灯回路は、第１の電流経路ＩＲ１と第２の電流経路ＩＲ２に抵抗値の異なる第１の抵抗１５と第２の抵抗１６を設けることにより、電流調整用の複雑な可変抵抗を用いずとも、ＬＥＤ１１、１２が第１の色で発光する第１の発光態様による発光と、ＬＥＤ１３、１４が第２の色で発光する第２の発光態様による発光を行うことができる。
【００１８】
尚、上記第１実施形態のＬＥＤ点灯回路では、一の対向配置のＬＥＤ１１、１２の色と他の対向配置のＬＥＤ１３、１４の色を異なるものとしたが、ダイオードブリッジ回路の四辺に設けられるＬＥＤ１１〜１４の色を全て同一とし、抵抗１５の抵抗値を抵抗１６より大きくするなど第１の抵抗１５と第２の抵抗１６の抵抗値を異なるものとし、ＬＥＤ１１、１２に流れる電流とＬＥＤ１３、１４に流れる電流を異ならせて、第１の電流経路ＩＲ１に電流が流れる場合のＬＥＤ１１、１２の発光輝度と、第２の電流経路ＩＲ２に電流が流れる場合のＬＥＤ１３、１４の発光輝度を異ならせるようにしてもよく、発光輝度が異なる発光態様の発光を得ることができる。
【００１９】
また、第１の色のＬＥＤ１１と、第２の色のＬＥＤ１２と、第３の色のＬＥＤ１３と、第４の色のＬＥＤ１４をダイオードブリッジ回路の四辺に設け、ＬＥＤ１１、１２が第１の色と第２の色の組で発光し、ＬＥＤ１３、１４が第３の色と第４の色の組で発光するようにしてもよい。前記第１〜第４の色は、例えば全て異なる色とする、或いは第４の色のみ異なる色とする、或いは第１の色と第４の色を同色、第２の色と第３の色を同色で、第１と第４の色と第２と第３の色を異なる色とするなど、第１〜第４の色の中に少なくとも一色の異なる色を含めばよい。
【００２０】
また、ダイオードブリッジ回路の各辺に設けるＬＥＤの個数は適宜であり、例えば図３の第２実施形態のように、接続点２１と接続点２３を結ぶ線に、２個のＬＥＤ１７、ＬＥＤ１１を接続点２１から接続点２３へ向かう方向を順方向にして接続し、接続点２２と接続点２３を結ぶ線に、２個のＬＥＤ１８とＬＥＤ１４を接続点２２から接続点２３へ向かう方向を順方向にして接続してもよい。ＬＥＤ１７、１８の色も適宜であり、ＬＥＤ１７をＬＥＤ１１と同色若しくは異なる色、ＬＥＤ１８をＬＥＤ１４と同色若しくは異なる色とすることが可能である。
【００２１】
また、第１の電流経路の中で第１の抵抗１５を接続する位置や、第２の電流経路の中で第２の抵抗１６を接続する位置は上記第１実施形態に限定されず、例えば第１実施形態の第１の抵抗１５を接続する位置に代え、図１の接続点２１と接続点２３とを結ぶ線で、ＬＥＤ１１のカソード側と接続点２３との間の位置に第１の抵抗１５を接続する構成や、或いは第１実施形態の第２の抵抗１６を接続する位置に代え、接続点２２と接続点２３とを結ぶ線で、ＬＥＤ１４のカソード側と接続点２３との間の位置に第２の抵抗１６を接続する構成等とすることが可能である。
【００２２】
更に、上記第１、第２実施形態や各変形例のＬＥＤ点灯回路で車両用室内灯を構成し、各ＬＥＤ１１〜１４等で室内照明を行うようにすると好適であり、車両の直流電源に入力端子Ａ１、Ａ２を接続して用いるようにするとよい。
【産業上の利用可能性】
【００２３】
本発明は、例えばＬＥＤを光源とする車両用室内灯に利用することができる。
【図面の簡単な説明】
【００２４】
【図１】第１実施形態のＬＥＤ点灯回路を示す回路図。
【図２】（ａ）は図１のＬＥＤ点灯回路に電源入力端子Ａ１をプラス、Ａ２をマイナスとして電流を流した場合の電流経路を説明する説明図、（ｂ）は図１のＬＥＤ点灯回路に電源入力端子Ａ１をマイナス、Ａ２をプラスとして電流を流した場合の電流経路を説明する説明図。
【図３】第２実施形態のＬＥＤ点灯回路を示す回路図。
【図４】従来のＬＥＤ点灯回路を示す回路図。
【符号の説明】
【００２５】
１、２、３、４、１１、１２、１３、１４、１７、１８  ＬＥＤ
５、１５、１６  抵抗
６、７、８、９、２１、２２、２３、２４  接続点
Ａ１、Ａ２  電源入力端子
ＩＲ１、ＩＲ２  電流経路
【図１】
2008010458.tif 000003
【図２】
2008010458.tif 000004
【図３】
2008010458.tif 000005
【図４】
2008010458.tif 000006